(57)【特許請求の範囲】
【請求項１】
長さ調節を可能にする留め具を両端に有した一本のバンドと、
該バンドを挟み込み、荷物を巻いたバンドを荷物の底部へ送るための切り込みを長辺方向の両側に有した長方形の板状の固定板と、該バンドの両端と荷物をつなぐ三角リングとフックを有する三叉フックとを備え、
前記バンドを前記固定板の切り込みで挟み込んでループを形成し、該ループで荷物の胴体部を固定し、該ループと反対側のバンドを荷物の底部を支えながら腕の下から肩にかけて通し、前記三叉フックの三角リングの二辺に該バンドの両端をそれぞれつなぎ、該三角リングの残りの一辺には前記フックで荷物をつなぐ状態で、荷物に取り付けて、該荷物と一体でリュックサック状を形成し、該荷物を背負い込み可能とすることを特徴とするリュックバンド。
【請求項２】
該バンド、及び該固定板と荷物との接触面にそれぞれ粘着剤を塗布したことを特徴とする請求項１記載のリュックバンド。
【請求項３】
長さ調節を可能にする留め具を両端に有した一本のバンドと、該バンドを挟み込み、荷物を巻いたバンドを荷物の底部へ送るための切り込みを長辺方向の両側に有した長方形の板状の固定板と、該バンドの両端と荷物をつなぐ三角リングとフックを有する三叉フックとを備えたリュックバンドにより、
前記バンドを前記固定板の切り込みで挟み込んでループを形成し、該ループで荷物の胴体部を固定し、該ループと反対側のバンドを荷物の底部を支えながら腕の下から肩にかけて通し、前記三叉フックの三角リングの二辺に該バンドの両端をそれぞれつなぎ、該三角リングの残りの一辺には前記フックで荷物をつなぐ状態で、荷物に取り付けて、該荷物と一体でリュックサック状を形成し、背負う者の肩部で荷物を支持するようにすることを特徴とする荷物背負い方法。
【発明の詳細な説明】
【０００１】
【発明の属する技術分野】
本発明は、一本のバンドで荷物を固定し、かつその荷物と一体でリュックサック状を形成し、荷物を背負い込み可能とするリュックバンドに関するものである。
【０００２】
【従来の技術】
従来、一本のバンドで小物類を巻いて固定し、余ったバンド部分を肩に掛けて持ち運ぶタイプのものは使用されていた。ただ、かかるバンドで持ち運べる小物類は、本やＣＤケースなどの立体形状で小さくかさ張らない程度のものでしかなかった。
【０００３】
【発明が解決しようとする課題】
かかるタイプのバンドでは、どうしてもバンドを握って支える手が必要であり、片手が塞がれる点ではバンドを用いずに手で荷物を持つ場合と変わらない。そして、通常は片方の肩に掛けて支えることが必要なので、肩に掛けられる程度の重さの荷物にしか使えない。したがって、かかるバンドを用いて持ち運べるのは、前述の本やＣＤケースなどの小物類に限られることになる。さらに、かかるバンドについては、小物類をあえて袋に入れずにむき出しのままで結えて使用するので、雨降りの時などは使用されない場合が多い。
そこで、両手を塞がずに使え、前記のバンドで持ち運べるものよりもさらに重く、あるいは大きな荷物でも運ぶことができ、かつ雨降りの時でも使えるように、荷物に取り付けてその荷物自体を簡単に背負えるようにするリュックバンドの開発が所望されている。
【０００４】
【課題を解決するための手段】
上記の課題を解決するために、請求項１記載のリュックバンドは、長さ調節を可能にする留め具を両端に有した一本のバンドと、該バンドを挟み込み、荷物を巻いたバンドを荷物の底部へ送るための切り込みを長辺方向の両側に有した長方形の板状の固定板と、該バンドの両端と荷物をつなぐ三角リングとフックを有する三叉フックとを備え、前記バンドを前記固定板の切り込みで挟み込んでループを形成し、該ループで荷物の胴体部を固定し、該ループと反対側のバンドを荷物の底部を支えながら腕の下から肩にかけて通し、前記三叉フックの三角リングの二辺に該バンドの両端をそれぞれつなぎ、該三角リングの残りの一辺には前記フックで荷物をつなぐ状態で、荷物に取り付けて、該荷物と一体でリュックサック状を形成し、該荷物を背負い込み可能とすることを要旨とする。
【０００５】
請求項２記載のリュックバンドは、請求項１記載のリュックバンドのバンド、及び固定板において、該バンド、及び該固定板と荷物との接触面にそれぞれ粘着剤を塗布したことを要旨とする。
【０００６】
請求項３記載の荷物背負い方法は、長さ調節を可能にする留め具を両端に有した一本のバンドと、該バンドを挟み込み、荷物を巻いたバンドを荷物の底部へ送るための切り込みを長辺方向の両側に有した長方形の板状の固定板と、該バンドの両端と荷物をつなぐ三角リングとフックを有する三叉フックとを備えたリュックバンドにより、前記バンドを前記固定板の切り込みで挟み込んでループを形成し、該ループで荷物の胴体部を固定し、該ループと反対側のバンドを荷物の底部を支えながら腕の下から肩にかけて通し、前記三叉フックの三角リングの二辺に該バンドの両端をそれぞれつなぎ、該三角リングの残りの一辺には前記フックで荷物をつなぐ状態で、荷物に取り付けて、該荷物と一体でリュックサック状を形成し、背負う者の肩部で荷物を支持するようにすることを要旨とする。
【０００７】
前述の通り、荷物を固定するのはバンドと固定板の組み合わせであるが、一本のバンドで巻いているだけなので、背負っている荷物が何らかの拍子でループから外れることが全くない訳ではない。そこで、荷物とループを接着させてより安定感を得るために、バンドと固定板の両方でそれぞれ荷物と接する面に粘着剤が塗布される。この粘着剤は、荷物に使用してもその表面生地を傷めることがなく、荷物への着脱を繰り返しても粘着性があまり落ちない素材のものが望まれる。塗布方法としては、バンドや固定板に噴霧形式のもので直接塗布するか、あるいは粘着テープを貼付するなどが考えられる。また、水に濡れても粘着性が落ちない粘着剤を用いれば、雨降りの時でも問題なく使え、さらにリュックバンドを直に洗濯することも可能となる。
【０００８】
なお、本発明のリュックバンドと荷物は三叉フックでつなげられるので、荷物には提げ手がついていることが必要である。そのため、本発明品は一般的に提げ手のついている紙袋や鞄を運ぶために使用されることが望まれるが、その他の荷物であっても三叉フックでつなげられるものであればよい。また、背中で荷物を背負うことや各部品の強度から見て、４０ｋｇぐらいまでの荷物に使用可能である。
【０００９】
【実施例】
［実施例１］本発明の実施例を、図１〜図３を用いて説明する。
図１（ａ）は、バンド部分を示す図、図１（ｂ）は、固定板の表面を示す図、図１（ｃ）は、固定板の裏面を示す図、図１（ｄ）は、三叉フックを示す図である。なお、図１の１はバンド、２は留め具、３は粘着剤、４は固定板、５は切り込み、６は粘着剤、７は矢印、８は三叉フック、８ａはフック、８ｂはフック支え、８ｃは吊り輪、８ｄは三角リングを示す。図２は、リュックバンド全体を示す図である。なお、図２の９は紙袋、１０は提げ手を示す。図３（ａ）は、紙袋を背負った時の姿を背面から見た図、図３（ｂ）は、紙袋を背負った時の姿を側面から見た図である。
本実施例は、リュックバンドの構成部品、及び使用形態を示したものである。
【００１０】
図１は、本発明のリュックバンドの構成部品を示すものである。
図１（ａ）は、バンド部分を示す。本発明のバンド１は、ズボンのベルトの材料としても使用される平板状の布ベルトである。そして、荷物を支えつつ両腕を通して背負えるように約２．５メートルの長さを有している。
バンド部分は単なる紐であり、荷物をつなぐためには例えば後述の三叉フック８を用いると良い。その場合、バンド１の両端に留め具２が設けられ、その留め具２によりバンド１の端をループ状にして三叉フック８をつなげる。また、バンド１の端を二重にして留めているので、留め具２により荷物を背負う人の身体の大きさに合わせて肩に掛かるバンド１の長さを調節することができる。
荷物を固定するバンド１は一重巻きであるので、荷物を背負う人の動きによって当初巻いていた位置からずれたり、ときには外れることもあり得る。そのため、バンド１をしっかりと固定するために荷物と接する側に粘着剤３が塗布される。粘着剤３には噴霧式タイプのものがあるので、バンド使用前に直接塗布して、粘着力が落ちてきたらその都度塗布し直せばよい。
【００１１】
図１（ｂ）は、固定板の表面を示す。ここで、固定板４については、リュックバンドを荷物に取り付けたときに外側に見える方を表面、荷物と接する方を裏面としている。固定板４は、一本のバンドでループを作って荷物の胴体に巻きつけるために使用されるもので、長辺方向の両端に切り込み５を設けている。そして、両側の切り込み５は取り付け時のバランスをとるために左右対称をなしている。また、子供用あるいは小さな荷物を巻きつけるための短い間隔の切り込みの組５ａと、大人用あるいは大きな荷物を巻きつけるための長い間隔の切り込みの組５ｂの、２つの組合わせを設けている。また、固定板４の素材にはプラスチックを用いており、前記の切り込み５を入れたり、安全に扱えるように四隅の角を円くするなどの加工を施している。
図１（ｃ）は、固定板の裏面を示す。固定板４の裏側は荷物に接する側であり、バンドに粘着剤３を塗布したように固定板４の裏側にも粘着剤をつける。そして、本例の固定板４はプラスチック製であるから、塗布するタイプの粘着剤でなく、両側の切り込みの間に納まる大きさの粘着テープ６が貼付される。また、リュックバンドの使用者が固定板４の上下を間違えて使用しないように、上向きの矢印７と「上」の文字が書き入れられる。
【００１２】
図１（ｄ）は、三叉フックを示す。三叉フック８は、バンド１の両端と荷物の提げ手とをつなげる部品である。本部品は大きく４つに分かれ、まず、荷物をつなぐフック８ａがある。荷物の提げ手をつなげやすいように釣針状をなしており、縦軸の周りを回転する形をとっている（矢印参照）。次に、そのフック８ａを支えるフック支え８ｂがあって図１（ｄ）の状態で前後に動く形をとっているが（矢印参照）、フック８ａ、及びフック支え８ｂとも動きやすい形にしているのは、リュックバンドと荷物の提げ手とのつなぎ目が背負った荷物の揺れや動きに耐えられるようにするためである。三角リング８ｄは、文字通り三角形をなしたリング状の部品で、バンドの両端をリング内に通して二辺でそれぞれをつなげ、残りの一辺に吊り輪８ｃを通し、それを介してフック支え８ｂをつなげている。
【００１３】
図２は、リュックバンド全体を示す。本図は、リュックバンドを提げ手のついた紙袋につなげたときの様子を表している。固定板４を介してループを形成したバンド１は紙袋９の下部を一重に巻いてから、左右両方のバンド１が固定板４の両端に設けられた角度４５度の切り込み５に挟まれて折り曲げられる形になり、そのまま紙袋９の底部へと送られる。そして、紙袋９の底部を支えながら紙袋９の裏側で上へと送られる。紙袋９の上部に送られた左右両方のバンド１は三叉フック８につなげられ、その三叉フック８のフック８ａ部分で紙袋９の提げ手１０とつなげられる。以上の構成により、紙袋９とリュックバンドが一体となって、一般のリュックサックの形状となる。
【００１４】
図３（ａ）は、リュックバンドを用いて紙袋を背負った姿を背面方向から見た状態を示す。これを見ても明らかな通り、紙袋９がしっかり底部を支えられ背負い可能状態となっているのが分かる。本発明のリュックバンドと紙袋９とが一体となり、全体がリュックサックの形状に見えている。
図３（ｂ）は、紙袋を背負った姿を側面方向から見た状態を示す。前項で説明した通り、バンド１と固定板４で形成されたループで紙袋を巻いており、固定板から出たバンドは紙袋９の底部を通って、使用者の腕の下から肩に掛けて送られている。そして、バンドの端部にある三叉フック８で紙袋９の提げ手１０とつなげられている。
【００１５】
一般的に鞄や紙袋は提げ手を持って運ぶタイプのものか、ショルダーバックのような片方の肩に掛けて運ぶタイプのものかのいずれかである。しかし、これらは片方の手や肩に重さがかかり、持ち運びで疲れを起こしやすい。そこで、最近では、普段の生活でも両方の肩で背負うリュックサックが多用されている。
本発明によると、通常は提げ手を持って運ぶしかない鞄や紙袋であっても簡単にリュックサック状にして背負うことができるので、鞄の持ち運びによる疲れをあまり感じずに済むことになる。また、買い物などで持ち運ぶ荷物が多すぎて手が足りない場合にも、本発明品を持参していれば即座にいずれかの荷物をリュックサック状にして背負うことが可能であり、荷物の量を普段より多めにして運ぶことも容易にできる。そして、本発明品自体も一本のバンドに多少の部品が付いているため、持ち運びに便利であり、いつでも場所を問わずに荷物に本発明品を取り付けてリュックサック状にすることができる。
【００１６】
［実施例２］本発明の第２の実施例を、図４を用いて説明する。
図４（ａ）は、変形固定板の表面を示す図、図４（ｂ）は、変形固定板の裏面を示す図である。なお、図４の１１は変形固定板、１２は凹部を示す。
本実施例は、変形固定板の形状及び使用形態を示したものである。
【００１７】
図４（ａ）は、変形固定板の表面を示す。ここでも、リュックバンド装着時に外側に見える方を表面、荷物と接する方を裏面としている。変形固定板１１は、固定板にある両側の切り込みの間隙が突出した形状をなす固定板である。固定板は、バンドをその切り込みに挟み込んでループを形成し荷物を巻いて止めるためのものであるが、変形固定板１１も使用目的は通常の固定板と同一である。ただ、通常の固定板は荷物との接触面が広く、固定板も硬いものであると反りがなく荷物にフィットしづらいために荷物からループがはずれる原因ともなる。しかし、変形固定板１１によると、凹部１２に集中的に圧力がかかり荷物にフィットしやすくなるので、それだけ荷物とループの安定感が増す。また、切り込みのある部分と凹部１２には角度がついているため、バンドを切り込みに通しても切り込み部が手前に突出しているためバンドの厚みを吸収し、固定板は凹部が荷物にしっかりと接することとなる。これにより、荷物とループとの安定感が増すことになる。
図４（ｂ）は、変形固定板の裏面を示す。変形固定板１１の凹部１２の裏面には、図の通り、通常の固定板と同様に粘着テープ６が貼付されている。これは、変形固定板１１を荷物に接着させて荷物の動きによりループがはずれないようにするためであって、これも使用目的は通常の固定板と同一である。ただ、前述の通り、凹部１２に集中的に圧力がかかり、通常の固定板と比べてより強固に接着されるので、それだけ荷物の安定感が増すことになる。
【００１８】
変形固定板によると荷物とループとの安定感が増すので、リュックバンド使用における利便性をより向上させることができる。また、固定板については、切り込みさえあれば形状に限定はなく、平形や凸形に限らず、例えば荷物の方にやや曲率を持たせた曲線形状のものでもよい。したがって、いろいろな形状の固定板を用意すると、荷物とループの合い具合を確かめながら、その荷物によく合う形状の固定板を使用することができる。
【００１９】
【発明の効果】
本発明のリュックバンドは、提げ手あるいはそれに代わるようなつなぎ目を有した荷物を簡単にリュックサック状にして背負えるようにするので、それらの荷物の持ち運びが非常に楽になる。特に重い荷物を手で持ったり片方の肩に掛けたりしづらいお年寄りが使用されると効果的である。また、一般の方でも、荷物をリュックサック状にして背負うと両方の手が空くので、その分荷物の量をより多くして運ぶことが容易になる。そして、本発明品は一本のバンドに多少の部品が付いたもので、とても軽く持ち運びにも便利であるため、いつでも場所を問わずに使用することができる。
さらに、固定板についても、切り込みさえあればいろいろな形状のものを作成、使用できるので、本発明品をいろいろな形状の荷物に応用することも可能となる。
【図面の簡単な説明】
【図１】（ａ）バンド部分を示す図
（ｂ）固定板の表面を示す図
（ｃ）固定板の裏面を示す図
（ｄ）三叉フックを示す図
【図２】リュックバンド全体を示す図
【図３】（ａ）紙袋を背負った時の姿を背面から見た図
（ｂ）紙袋を背負った時の姿を側面から見た図
【図４】（ａ）変形固定板の表面を示す図
（ｂ）変形固定板の裏面を示す図
【符号の説明】
１    バンド
２    留め具
３    粘着剤
４    固定板
５    切り込み
６    粘着テープ
７    矢印
８    三叉フック
８ａ  フック
８ｂ  フック支え
８ｃ  吊り輪
８ｄ  三角リング
９    紙袋
１０  提げ手
１１  変形固定板
１２  凹部
【図１】
0003584017.tif 000002
【図２】
0003584017.tif 000003
【図３】
0003584017.tif 000004
【図４】
0003584017.tif 000005